(57)【特許請求の範囲】
【請求項１】
写真フイルムとこの一端部が係止されたスプールを回動自在に収納したパトローネとを予め装填するとともに、撮影ごとの巻上げ操作によってパトローネのスプールを回転し、露光済みの写真フイルムをパトローネ内に収納する外周に歯列を形成した巻上げノブと、前記歯列に弾性自在に係合し、巻上げノブの巻上げ操作時には弾性変形してその回転を許容し、巻上げ操作と逆方向に操作した時には前記歯列の谷に入り込んでその回転を阻止して巻上げノブの逆転を防止する逆転防止爪と、前記巻上げノブの巻上げ操作に伴って移送される写真フイルムに従動して回転される従動スプロケットと、この従動スプロケットと同軸に設けられ、従動スプロケットの回転によりシャッタチャージを行なう回転部材と、シャッタチャージ位置で回転部材に係合してその回転を禁止するとともに巻上げノブの歯列に係合してフイルム巻止めを行なう係止レバーとを備え、シャッタボタンの押下操作により係止レバーが巻上げノブの歯列から外れてフイルム巻止めが解除された後、係止レバーが回転部材との係合を解除してシャッタ開閉が行なわれ、露光位置にセットされた写真フイルムに露光が与えられるレンズ付きフイルムユニットにおいて、
シャッタボタンの初期操作により応動して前記逆転防止爪を押動し、前記逆転防止爪と巻上げノブとの係合を解除する解除手段を設け、前記フイルム巻止めが解除される前に前記スプールを回動自由にすることを特徴とするレンズ付きフイルムユニット。
【請求項２】
前記解除手段は、前記回転部材や係止レバーの軸受け機能を有する天板に一体に形成した解除レバーであることを特徴とする請求項１記載のレンズ付きフイルムユニット。
【発明の詳細な説明】
【０００１】
【発明の属する技術分野】
本発明は、露光中のフイルム移動やシャッタ２段落ち感覚を防止したレンズ付きフイルムユニットに関するものである。
【０００２】
【従来の技術】
簡単な露光機構を備えるとともに、予め未露光の写真フイルムとパトローネとが製造時に装填され、面倒なフイルム装填と巻戻し操作を不要にしたレンズ付きフイルムユニットとして、例えば「写ルンですSuper800（商品名）」等が本出願人より製造販売されている。このようなレンズ付きフイルムユニットでは、撮影ごとにパトローネのスプールに係合された巻上げノブを回転操作して露光済みの写真フイルムをパトローネ内に収納する巻上げ操作を行なう。この巻上げノブの巻上げ操作に伴って移送される写真フイルムに従動して従動スプロケットが回転されると、シャッタ駆動レバーがチャージ位置に移動した後、係止レバーによって係止される。
【０００３】
これと同時に、係止レバーが従動スプロケットと同軸の回転部材に係合してロックされ、また巻上げノブの外周に形成された歯列に係合して巻上げノブのそれ以上の回転を阻止する。シャッタボタンを押し下げていくと、シャッタボタンの下部に一体成形された押圧ロッドが徐々に係止レバーを押動して回動させる。係止レバーと回転部材との係合が解除された直後にシャッタ駆動レバーの係止が解除され、シャッタ駆動レバーによってシャッタ羽根の端部が蹴飛ばされてシャッタ羽根が揺動し、シャッタ開口が開閉され、露光位置にセットされた写真フイルムに露光が与えられる。
【０００４】
また、このようなフイルム巻上げ機構では、フイルム巻上げ操作の際に、巻上げノブをフイルム巻上げ方向とは逆の方向に回転操作すると、露光済みのコマがパトローネから引き出されてしまうため、巻上げノブの逆転操作を阻止する逆転操作防止機構が設けられている。この機構は、巻上げノブの外周に形成された歯列と、歯列に弾性自在に係合する逆転防止爪とから構成されている。この逆転防止爪は、巻上げノブのフイルム巻上げ方向への正転操作の際には弾性変形してその回転を許容し、また巻上げノブの逆転操作の際には歯列の谷に入り込んでその回転を阻止する。
【０００５】
【発明が解決しようとする課題】
ところが、上記のようなレンズ付きフイルムユニットでは、巻上げノブに通常より強い力を加えて無理な巻上げ操作（無理巻き）を行なうと、図６に示すように、巻上げノブ８１の歯列８１ａに係合した露光機構の係止レバー８２が撓んで巻上げノブ８１が約１歯分過送りされる場合がある。このとき、従動スプロケット８４は係止レバー８２によりロックされているから、巻上げノブ８１が約１歯分過送りされると、写真フイルム８６は無理に引っ張られて強いテンションがかかる。この状態から巻上げノブ８１に加えた力を弛めると、写真フイルム８６にかかっているテンションと撓んだ係止レバー８２の弾性とによって巻上げノブ８１は逆転しそうになるが、逆転防止爪８７が歯列８１ａに係合して巻上げノブ８１の逆転が阻止される。これにより、写真フイルムには強いテンションがかかったままになる。
【０００６】
この状態から、シャッタボタンを押し下げてレリーズ操作を行なうと、シャッタボタンが全押し位置に至る途中で巻上げノブ８１の歯列８１ａに強く係合していた係止レバー８２が外れる。このとき、シャッタ開閉時に似た手応えや音が発生するため、撮影者はこの後に発生する本当のシャッタ開閉による手応えや音とでシャッタが合計２度落ちたような錯覚を起こす（シャッタ２段落ち感覚）。この場合、撮影者は、最初の手応えや音でシャッタが開閉されたと早合点し、本当にシャッタが開閉される前にレンズ付きフイルムユニットを保持していた手から力を抜いたり、ファインダから目を離すため、手ブレの原因になる。
【０００７】
また、巻上げノブ８１の歯列８１ａに強く係合していた係止レバー８２が外れるときには、写真フイルム８６にかかっていたテンションが急に緩むため、パトローネ内のスプールに強く巻かれていた写真フイルム８６が緩んで微妙な振動が発生する。そして、この直後に巻止めカム８５の溝８５ａから係止レバー８２の爪８２ａが外れて、巻止めカム８５と同軸の従動スプロケット８４がフリー状態になるため、前記微妙な振動は露光位置にセットされた写真フイルム８６に伝達され、シャッタ開中に写真フイルム８６が振動する等のフイルム移動が起こり、撮影画像の画質が劣化する。
【０００８】
本発明は、上記問題点に鑑みてなされたもので、無理巻きに起因する露光中のフイルム移動やシャッタ２段落ち感覚を防止したレンズ付きフイルムユニットを提供することを目的とする。
【０００９】
【課題を解決するための手段】
上記問題点を解決するために、本発明のレンズ付きフイルムユニットは、シャッタボタンの初期操作により応動して逆転防止爪を押動し、逆転防止爪と巻上げノブとの係合を解除する解除手段を設け、係止レバーが巻上げノブの歯列から外れてフイルム巻止めが解除される前にスプールを回動自由にするものである。また、前記解除手段は、回転部材や係止レバーの軸受け機能を有する天板に一体に形成した解除レバーとしたものである。
【００１０】
【発明の実施の形態】
本発明の実施形態の外観を示す図２において、レンズ付きフイルムユニット２は、パトローネ付きの写真フイルムや各種撮影機構が内蔵されたユニット本体３と、この中央部の縦方向に巻き付けて貼着した帯状のラベル４とから構成されている。ラベル４に覆われないユニット本体３の左右には、巻上げノブ５，シャッタボタン６，ストロボ発光部７，充電スイッチ８が配置され、ラベル４には、撮影レンズ９，ファインダ１０及び撮影枚数表示窓１１等を露出させるための穴が設けられている。
【００１１】
図３に示すように、ユニット本体３は、本体基部１２，後カバー１３，露光ユニット１４，ストロボユニット１５、及び前カバー１６とから構成されている。本体基部１２の前面には、撮影レンズ９を備えた露光付与機構，フイルム巻上げ機構及びシャッタチャージ機構等がユニット化された露光ユニット１４が着脱自在に取り付けられる。後カバー１３は、本体基部１２の背後に組み付けられて本体基部１２との間で写真フイルムパトローネ１７を光密に収納する。
【００１２】
前カバー１５は、本体基部１２の前面に着脱自在に取り付けられる。この前カバー１５の上面には、一部を切り欠いて弾性自在に形成したシャッタボタン６が設けられている。このシャッタボタン６の下部には、押圧ロッド１８が設けられており、詳しくは後述する露光ユニット１４の構成部品を押圧し、露光付与機構を作動させるとともに、後述する逆転防止爪を変位させ、巻上げノブ５の外周に形成された歯列５ａとの係合を解除する。
【００１３】
本体基部１２には、写真フイルムパトローネ１７のパトローネ２０を収納するためのパトローネ収納室２１と、パトローネ２０から引き出された未露光の写真フイルム２２をフイルムロール２２ａの形態で収納するためのフイルムロール室２３とが一体に形成されている。
【００１４】
パトローネ２０は、プラスチックで形成されており、未使用時には写真フイルム２２を全て内部に収納しておき、使用時にはスプール２５の回転によって写真フイルム２２を外部に送り出す。また、写真フイルム２２が引き出されるフイルム出入り口には、写真フイルム２２が全て巻き込まれたときに回動されてパトローネ２０内を遮光する蓋部材２６が組み込まれている。
【００１５】
パトローネ収納室２１とフイルムロール室２３との底は開口となっており、写真フイルムパトローネ１７を装填した後に、後カバー１３に設けたプルトップ式の底蓋２８，２９によってそれぞれ塞がれる。
【００１６】
パトローネ収納室２１とフイルムロール室２３との間には、暗箱３０が設けられている。暗箱３０の背面側には露光開口３１が形成されており、この露光開口３１は、撮影レンズ９を通る光軸９ａを中心として写真フイルム２２の移送方向で湾曲した形状となっている。また後カバー１３には、露光開口３１に対峙する部分にフイルム支持面３２が形成されており、このフイルム支持面３２も同様に湾曲されている。
【００１７】
暗箱３０の前面側には、露光ユニット１４が取り付けられる。また、暗箱３０の上方には、露光ユニット１４の従動スプロケットを写真フイルム２２に向けて露呈させるための開口３０ａが形成されている。この開口３０ａは、撮影レンズ９側から見た露光開口３１に対して上方左側に形成されている。
【００１８】
巻上げノブ５は、パトローネ収納室２１の上面に回動自在に配置され、パトローネ収納室２１に装填されたパトローネ２０のスプール２５に係合している。この巻上げノブ５は、一部が後カバー１３から露呈されており、この露呈された部分をフイルム巻上げ方向（図中反時計方向）に回転操作することにより、スプール２５がフイルム巻き取り方向に回転されて撮影済みの写真フイルム２２がパトローネ２０内に収納される。
【００１９】
巻上げノブ５の外周に形成された歯列５ａには、本体基部１２に設けた逆転防止爪３７が係合している。逆転防止爪３７は、巻上げノブ５のフイルム巻上げ方向への正転操作の際には弾性変形してその回転を許容し、逆転操作の際には歯列５ａの谷に入り込んでその回転を阻止することにより巻上げノブ５がフイルム巻上げ方向とは逆の方向（図中時計方向）に回転操作されることを禁止している。
【００２０】
ストロボユニット１５は、回路基板３３とストロボ発光部７とから構成されている。回路基板３３には、ストロボ回路を構成するメインコンデンサ３４等からなる電気部品と、露光ユニット１４のシャッタ機構によってオンされるシンクロスイッチ３５と、ストロボ装置１６の電源となる乾電池３６を接続するための接片３８ａ，３８ｂとが取り付けられている。また、充電スイッチ８の押圧により回路基板３３のプリント接点２４ａ，２４ｂを短絡させてメインコンデンサ３４への充電を開始する接片２７がフイルムロール室２３の外壁に取り付けられている。
【００２１】
写真フイルム２２は、図４に示すように、フイルム自由端部２２ｂ，撮影領域２２ｃ，フイルム係止部２２ｄから構成されている。撮影領域２２ｃには、一方の側縁に沿ってサイズの異なった大小２個のパーフォレーション３９，４０が２種類の間隔で交互に配列されており、間隔の長いパーフォレーション３９，４０の間の中心を前記露光開口のフイルム給送方向（長手方向）の中心に合わせた状態で撮影を行いコマ４１が形成される。撮影領域２２ｃは、最初に撮影が行われるコマ４１ａと、最後に撮影が行われるコマ４１ｂとを含む規定撮影枚数分のコマ４１が形成されるだけの長さを有している。
【００２２】
フイルム係止部２２ｄは、パトローネ２０のスプール２５に係止されており、巻上げノブ５の操作によるスプール２５の回転によってスプール２５に巻き付けられる。フイルム自由端部２２ｂとフイルム係止部２２ｄとは、撮影に用いられない領域とされており、現像処理時等に使用するための露光禁止領域となっている。そのため、フイルム自由端部２２ｂ，フイルム係止部２２ｄは、未露光の状態でパトローネ２０内に巻き上げられる。
【００２３】
露光ユニット１４には、図５に示すようなシャッタチャージ機構が設けられている。このシャッタチャージ機構は、同軸に設けられた従動スプロケット４５，回転体４６と、この近傍に設けられた板バネ４８と、第１バネ５２，第２バネ５３によりそれぞれ反時計方向と時計方向とに付勢されたシャッタ駆動レバー４９，係止レバー５０と、カウンタ表示板５１とからなる。
【００２４】
従動スプロケット４５は、回転部材４６の下部に係合されて暗箱３０の上部の開口３１ａからフイルム面に向けて露呈される。従動スプロケット４５の円周面４５ａには、短い間隔で並んだ一対の大小パーフォレーション３９，４０に順次に噛合する一対の大小の歯５５，５６が、１８０°の回転対称で２対設けられている。そして、従動スプロケット４５は、１コマ分の写真フイルム２２がパトローネ２０内に巻き上げられる際にフイルム移送に従動して半回転される。
【００２５】
回転部材４６は、従動スプロケット４５の回転補助を行う被押圧部５９と、シャッタチャージを行うシャッタチャージカム６０と、フイルム巻止め状態をつくる巻止めカム６１と、カウンタ表示板５１を一目盛り分ずつ回動させる二歯ギヤ６２とから構成されており、これらは一体に形成されている。
【００２６】
被押圧部５９は、外周に１８０°の回転対称で形成された一対の突起５９ａからなる。写真フイルム２２にはパーフォレーションが連続的に設けられていないことから、従動スプロケット４５の歯５５，５６がパーフォレーション３９，４０との何れとも噛合されない状態が発生してしまう。この状態のときに、板バネ４８が突起５９ａを押圧し、回転部材４６を従動方向に回動させるようになっている。これにより、従動スプロケット４５の歯５６は、次のパーフォレーション４０に噛合可能な位置まで移動される。
【００２７】
シャッタチャージカム６０は、外周に１８０°の回転対称で形成された羽根形状の突起６０ａによって、シャッタ駆動レバー４９の突部４９ａを押圧し、時計方向（チャージ位置に向かう方向）に向けて回動させる。
【００２８】
係止レバー５０は、この爪部５０ａが回転部材４６の巻止めカム６１の外周に当接されており、回転部材４６が半回転して、巻止めカム６１の溝６１ａが係止レバー５０の爪部５０ａに合致する位置に到達すると、時計方向に僅かに回動され、爪部５０ａが溝６１ａに挿入される。これと同時に、係止レバー５０は、シャッタ駆動レバー４９と係合し、また巻止め爪５０ｂを巻上げノブ５の歯列５ａに噛合させてフイルム巻上げ操作を阻止する。これによりフイルム巻止め状態となる。
【００２９】
係止レバー５０とシャッタ駆動レバー４９との係合は、係止レバー５０から下方に向けて突出された係合突起５０ｃと、シャッタ駆動レバー４９から上方に向けて突出された被係合突起４９ｂとが突き合わされることにより行われる。そして、シャッタボタン６が押し下げられると押圧ロッド１８が係止レバー５０の立ち下がり片５０ｄを押圧し、係止レバー５０は反時計方向に回動される。係止レバー５０が図示位置以上に回動されると、係合突起５０ｃと被係合突起４９ｂとの係合が解除され、シャッタ駆動レバー４９は反時計方向に回動される。
【００３０】
シャッタ駆動レバー４５が反時計方向に回動されると、シャッタ羽根６４に上部に形成された作用片６４ａが蹴飛ばされ、シャッタ羽根６４が揺動してシャッタ開口が開放され、写真フイルム２２への露光が行われる。また、シャッタ羽根６４は引き戻しバネ（図示せず）の付勢によって反時計方向に回動され、すぐにシャッタ開口は閉じられる。
【００３１】
二歯ギヤ６２は、カウンタ表示板５１の外周に形成された歯列５１ａに噛合されており、カウンタ表示板５１は二歯ギヤ６２の半回転によって一目盛り分だけ時計方向に回動される。カウンタ表示板４６の上面には、その回転ピッチに対応して枚数表示用の目盛りが設けられており、この目盛りは露光ユニット１４の上部を構成する天板６８と一体成形された拡大レンズ６８ａ（図３参照）によって拡大され、表示窓１１を通して観察することができる。この目盛りは、その時点で撮影可能なフイルム枚数、すなわち残数表示目盛りとなっている。
【００３２】
前記天板６８は、前記拡大レンズ６８ａが一体に形成されている他、巻止めカム６１の上面を規制するとともに、シャッタ駆動レバー４９の軸６６の上端を保持し、またファインダ１０のレンズ１０ａの上部を押さえ、さらにシャッタボタン６の初期操作により逆転防止爪３７を回動させて巻上げノブ５との係合を解除する機能を有する。
【００３３】
このシャッタボタン６の初期操作で逆転防止爪３７を回動して巻上げノブ５との係合を解除する解除手段は、図１に示すように、コ字型の解除レバー７１と、Ｔ字形の回動レバー７２とからなる。レバー７１，７２の各々は、天板６８の巻上げノブ５側の端部を切り欠いて形成され、それぞれ連結部７１ａ，７２ａの弾性変形により回動自在に形成されている。そして、解除レバー７１の先端部７１ｂと回動レバー７２の一端部７２ｂとは、互いに隣接した位置に形成されている。露光ユニット１４を本体基部１２に取り付けると、解除レバー７１の側部７１ｃが逆転防止爪３７と相対した位置に配置される。また、前カバー１６を本体基部１２に取り付けると、回動レバー７２の他端部７２ｃが押圧ロッド１８に一体成形された押圧部材１８ａと隣接した位置に配置される。
【００３４】
シャッタボタン６の操作を開始すると、押圧部材１８ａが回動レバー７２の他端部７２ｃを押圧し、回動レバー７２を反時計方向に回動させる。すると、一端部７２ｂが解除レバー７１の先端部７１ｂを押圧して解除レバー７１を時計方向に回動させるから、解除レバー７１の側部７１ｃが逆転防止爪３７を後カバー１３側へ押動する。これにより、逆転防止爪３７は時計方向に回動され、巻上げノブ５の歯列５ａとの係合が解除される。そして、この解除は、係止レバー５０の巻止め爪５０ｂが巻上げノブ５の歯列５ａから完全に外れるフイルム巻止め解除の前に行なわれる。
【００３５】
このように、フイルム巻止めが解除される前にスプール２５が回動自由なフリー状態になり、写真フイルム２２にかかっていたテンションが解除されるから、例え巻上げノブ６を無理巻きして係止レバー５０の巻止め爪５０ｂと巻上げノブ５の歯列５ａとが強く係合していたとしても、この強い係合状態が解除され、係止レバー５０の巻止め爪５０ｂが巻上げノブ５の歯列５ａから外れる際の手応えや音はほとんど発生しない。したがって、シャッタ２段落ち感覚は生じない。また、巻上げノブ６を無理巻きしてあった場合には、スプール２５がフリー状態になった瞬間に写真フイルム２２に微妙な振動が発生するが、これはすぐに消失する。したがって、露光中には写真フイルム２２は安定した状態になり、撮影画像はブレのない高画質なものとなる。
【００３６】
次に上記実施形態の作用について説明する。図２に示すレンズ付きフイルムユニット２を購入したユーザーは、始めに巻上げノブ５を回転操作して撮影準備を行う。巻上げノブ５が回転操作されると、図４に示すフイルム係止部２２ｄが写真フイルム２２がパトローネ２０内に巻き上げられる。
【００３７】
写真フイルム２２の移動と板バネ４８の付勢とにより、従動スプロケット４５と回転部材４６とは反時計方向に回転され、小歯５６が次の小パーフォレーション４０に噛合可能な位置まで移動される。さらに写真フイルム２２が移送されると、従動スプロケット４５の小歯５６が次の小パーフォレーション４０に噛合し、大歯５５が大パーフォレーション３９に順次噛合する。巻上げノブ５の回転操作が開始されてから大歯５５が大パーフォレーション３９に噛合するまでの間に、回転部材４６は反時計方向に半回転される。
【００３８】
回転部材４６が半回転する間には、シャッタチャージカム６０の突起６０ａがシャッタ駆動レバー４９の突部４９ａを押圧して、シャッタ駆動レバー４９を時計方向に回動させる。係止レバー５０は、第２バネ５３の付勢によって時計方向に回動し、爪部５０ａを巻止めカム６１の溝６１ａに係合させて回転部材４６の回転をロックするとともに、係合突起５０ｃをシャッタ駆動レバー４９の被係合突起４９ｂに係合させる。さらに係止レバー５０は、巻止め爪５０ｂを巻上げノブ５の外周の歯列５ａに噛合させて、巻上げノブ５の回転操作を阻止する。これにより、レンズ付きフイルムユニット２の撮影準備が完了する。
【００３９】
その後、ファインダ１０で撮影範囲を確認し、シャッタボタン６の操作を開始すると、この初期操作で押圧ロッド１８の押圧部材１８ａが回動レバー７２及び解除レバー７１を介して逆転防止爪３７を後カバー１３側に回動させ、逆転防止爪３７と巻上げノブ５との係合を解除する。これにより、パトローネ２０のスプール２５が回動自由になるから、巻上げノブ５の無理巻きで巻上げノブ５を約１歯分回転させて写真フイルム２２に強いテンションをかけていた場合でも、このテンションが解除される。また、この瞬間に写真フイルム２２に微妙な振動が発生することがあるが、きわめて短時間で消失する。
【００４０】
この後、シャッタボタン６をさらに押し下げて全押しすると、係止レバー５０の巻止め爪５０ｂが巻上げノブ５の歯列５ａから外れ、フイルム巻止めが解除される。このとき、すでに逆転防止爪３７と巻上げノブ５との係合解除により写真フイルム２２にはほとんどテンションがかかっていない状態になっているから、無理巻きによる係止レバー５０の巻止め爪５０ｂと巻上げノブ５の歯列５ａとの強い係合状態が解消されており、係止レバー５０の巻止め爪５０ｂが巻上げノブ５の歯列５ａから外れる際のシャッタ開閉時と似た手応えや音が発生することがない。
【００４１】
続いて巻止めカム６１の溝６１ａから係止レバー５０の爪部５０ａが外れると、次の瞬間に、押圧ロッド１８が係止レバー５０の立ち下がり片５０ｃを押圧して反時計方向に向けて回動させる。これにより、係止レバー５０の係合突起５０ｃとシャッタ駆動レバー４９の被係合突起５０ｃとの係合が解除され、シャッタ駆動レバー４９は第１バネ５２の付勢によって反時計方向に回動する。シャッタ駆動レバー４９は、シャッタ羽根６４の作用片６４ａを蹴飛ばしてシャッタ開口を開閉し、安定状態の写真フイルム２２に露光が行なわれる。この結果、高画質な撮影画像が得られる。
【００４２】
以上説明した第１実施形態では、天板の解除レバーは回動レバーを介して回動させていたが、回動レバーを省略することもできる。この場合には、例えばシャッタボタンの押圧ロッドに楔状の部材を一体成形し、シャッタボタンの押下げにより楔状の部材が解除レバーと天板本体との隙間に挿入され、解除レバーが逆転防止爪側に回動されるようにする。また、露光ユニットの天板に解除レバーを設けたが、別の部材，例えば本体基部に設けてもよい。
【００４３】
なお、本発明の構成は、フイルムベースにアニールドポリエチレンナフタレート（Ａ−ＰＥＮ）が用いた従来より剛性が高い新タイプの写真フイルムを装填したレンズ付きフイルムユニットにも適用できる。この場合には、無理巻きに起因する写真フイルムの微妙な振動がより顕著に発生するため、本発明が有効である。
【００４４】
【発明の効果】
以上説明したように、本発明のレンズ付きフイルムユニットによれば、シャッタボタンの初期操作で逆転防止爪と巻上げノブとの係合を解除し、フイルム巻止めの解除前にスプールを回動自由にしたので、無理巻きで写真フイルムに過度のテンションがかかり、係止レバーと巻上げノブとが強く係合していても、これをフイルム巻止め解除前に解除でき、フイルム巻止めの解除時に発生するシャッタ開閉時と似た手応えや音が発生せず、シャッタ２段落ち感覚の発生を防止できる。また、シャッタ開前にスプールが回動自由になって写真フイルムの緊張状態が解消されるので、写真フイルムは安定状態で露光され、ブレがない高画質の撮影画像を得ることができる。また、回転部材や係止レバーの軸受けとして従来から用いられている天板に解除手段を設けたので、きわめて簡単かつローコストに上記効果を得ることができる。
【図面の簡単な説明】
【図１】本発明に係る天板の構成と逆転防止爪とシャッタボタンの一部との関係を示す説明図である。
【図２】本発明のレンズ付きフイルムユニットの外観を示す斜視図である。
【図３】ユニット本体の構成を示す分解斜視図である。
【図４】写真フイルムパトローネの構成を示す説明図である。
【図５】シャッタチャージ機構の構成を示す説明図である。
【図６】従来のレンズ付きフイルムユニットに用いられているシャッタチャージ機構の一例を示す説明図である。
【符号の説明】
２  レンズ付きフイルムユニット
５  巻上げノブ
６  シャッタボタン
１２  本体基部
１３  後カバー
１４  露光ユニット
１６  前カバー
１７  写真フイルムパトローネ
１８ａ  押圧部材
２０  パトローネ
２２  写真フイルム
３７  逆転防止爪
４５  従動スプロケット
４９  シャッタ駆動レバー
４９ｂ  被係合突起
５０  係止レバー
５０ｃ  係合突起
５１  回転部材
６１  巻止めカム
６８  天板
７１  解除レバー
７２  回動レバー
【図１】
0003636806.tif 000002
【図２】
0003636806.tif 000003
【図３】
0003636806.tif 000004
【図４】
0003636806.tif 000005
【図５】
0003636806.tif 000006
【図６】
0003636806.tif 000007